(57)【要約】【課題】実体データの入出力に際して、最適な入出力インターフェース形式を選択する手段を提供する。【解決手段】実体データの構造を、データ構造要素を組み合わせたデータ構造定義と入出力インターフェース形式とを関連付けて記憶しておき、データ構造定義に基づいてデータ値が設定された実体データを入出力する際には、そのデータ構造管理に関連付けられた入出力インターフェース形式を用いて入出力を行うことによって上記課題を解決することができる。【選択図】　　　　図６
2004021718.tif 000002
【特許請求の範囲】
【請求項１】
実体データの構造を、データ構造要素を組み合わせたデータ構造定義として定義し、
当該データ構造定義に合致したデータ値が設定された実体データを管理する情報管理システムであって、
前記データ構造定義と入出力インターフェース形式とを関連付けて保持する手段と、
前記実体データに含まれるデータ値の入出力を行う際に、当該実体データの設定に用いられた前記データ構造定義に関連付けられた前記入出力インターフェース形式を用いて、当該実体データに含まれるデータ値の入出力を行う手段と、
を含むことを特徴とする情報管理システム。
【請求項２】
前記データ構造定義の少なくとも１つを派生元とし、当該派生元のデータ構造定義を変更して新たに派生先のデータ構造定義を生成する手段と、
前記派生先のデータ構造定義と、前記派生元となったデータ構造定義のいずれかに関連付けられた前記入出力インターフェース形式と、を関連付けて保持する手段と、
を含むことを特徴とする請求項１に記載の情報管理システム。
【請求項３】
実体データの構造を、データ構造要素を組み合わせたデータ構造定義として定義し、
当該データ構造定義に合致したデータ値が設定された実体データを管理する情報管理方法であって、
前記データ構造定義と入出力インターフェース形式とを関連付けて保持する工程と、
前記実体データに含まれるデータ値の入出力を行う際に、当該実体データの設定に用いられた前記データ構造定義に関連付けられた前記入出力インターフェース形式を用いて、当該実体データに含まれるデータ値の入出力を行う工程と、
を含むことを特徴とする情報管理方法。
【請求項４】
前記データ構造定義の少なくとも１つを派生元とし、当該派生元のデータ構造定義を変更して新たに派生先のデータ構造定義を生成する工程と、
前記派生先のデータ構造定義と、前記派生元となったデータ構造定義のいずれかに関連付けられた前記入出力インターフェース形式と、を関連付けて保持する工程と、
を含むことを特徴とする請求項３に記載の情報管理方法。
【請求項５】
実体データの構造を、データ構造要素を組み合わせたデータ構造定義として定義し、
当該データ構造定義に合致したデータ値が設定された実体データを管理する情報管理プログラムであって、
前記データ構造定義と入出力インターフェース形式とを関連付けて保持する工程と、
前記実体データに含まれるデータ値の入出力を行う際に、当該実体データの設定に用いられた前記データ構造定義に関連付けられた前記入出力インターフェース形式を用いて、当該実体データに含まれるデータ値の入出力を行う工程と、
をコンピュータに実行させることを特徴とする情報管理プログラム。
【請求項６】
前記データ構造定義の少なくとも１つを派生元とし、当該派生元のデータ構造定義を変更して新たに派生先のデータ構造定義を生成する工程と、
前記派生先のデータ構造定義と、前記派生元となったデータ構造定義のいずれかに関連付けられた前記入出力インターフェース形式と、を関連付けて保持する工程と、
を含むことを特徴とする請求項５に記載の情報管理プログラム。
【発明の詳細な説明】
【０００１】
【発明の属する技術分野】
本発明は、データ構造要素を組み合わせてデータ構造定義を定義し、データ構造定義に合致するデータ構造を有する実体データを管理する情報管理システム、情報管理方法及び情報管理プログラムに関する。
【０００２】
【従来の技術】
コンピュータによる情報やデータの管理を容易にするために、データの構造を表現するデータ構造要素を組み合わせ、データ構造定義として定義し、具体的なデータ値を有する実体データをそのデータ構造定義に基づいて設定し、管理する情報管理のシステムが利用されている。
【０００３】
データ構造要素は、データのデータ型、データのデフォルト値等として表されるデータ属性、そのデータ構造要素を特定するためのＩＤ番号、名前、ラベル等を付与したものとして定義される。データ構造定義は、これらのデータ構造要素を幾つか組み合わされたものとして定義される。システムで管理される実体データは、データ構造定義のいずれかに基づいて設定され、そのデータ構造定義に含まれるデータ構造要素に関連した具体的なデータ値を含んでいる。
【０００４】
例えば、あるデータ構造定義に基づいて設定された実体データにデータ値”特許出願書類”というテキストデータが含まれるとすると、そのデータ構造定義には、テキスト型等のそのデータ値の属性を示すデータ構造要素が含まれることとなる。
【０００５】
このような実体データに含まれるデータ要素の入出力を行なう際には、その実体データのもととなったデータ構造定義に含まれるデータ構造要素を考慮した入出力インターフェース形式を用いて行なうことが好ましい。なぜなら、データ構造要素には、その実体データに含まれるデータ値の入出力インターフェース形式を定めるために必要な、データ型、データのデフォルト値等のデータに関する情報が含まれているからである。
【０００６】
特開平１１−１４３９１０号公報及び特開平１１−２４９９５２号公報に、実体データの入出力処理に関する技術が公開されている。本技術では、予め、データ構造定義に含まれるデータ構造要素ごとに、そのデータ構造要素に合致するデータの入出力に適した入出力インターフェース形式を設定し、データ構造要素と関連付けて保持する。例えば、データ構造要素と入出力インターフェース形式とは対照テーブルとして保持される。
【０００７】
実体データの入出力を行う際には、その実体データの基となるデータ構造定義に含まれるデータ構造要素を特定する。対照テーブルを参照することによって、特定されたデータ構造要素のそれぞれに関連付けられた入出力インターフェース形式を選択する。実体データの入出力は、その入出力インターフェース形式を組み合わせて行われる。
【０００８】
特開２００１−５６８１０号公報には、別の形態の情報管理システムが開示されている。本技術では、予め、幾つかのデータ構造要素を組み合せ、その組み合せ毎に入出力インターフェース形式を設定し、データ構造要素の組み合わせと入出力インターフェース形式とを関連付けて保持する。
【０００９】
実体データの入出力を行なう際には、その実体データの基となるデータ構造定義に含まれるデータ構造要素及びその組み合せを特定する。そのデータ構造要素の組み合わせに関連付けられた入出力インターフェース形式を用いて、実体データの入出力を行う。
【００１０】
上記のいずれの従来技術も、実体データの基となったデータ構造定義に含まれるデータ構造を特定し、入出力インターフェース形式を用いて入出力を行う点で共通している。
【００１１】
そのため、同一のデータ構造要素の組み合わせを含む異なるデータ構造定義のそれぞれに基づいて、異なる実体データが設定された場合、それらの実体データは同一の入出力インターフェースを用いて入出力が行われることとなる。
【００１２】
【発明が解決しようとする課題】
しかしながら、これらの実体データは、異なる入出力インターフェース形式を用いて入出力を行うことが好ましい場合がある。
【００１３】
例えば、同一のテキスト型のデータ構造要素を有する異なるデータ構造定義のそれぞれから、実体データ「帳票Ａ」と「帳票Ｂ」が設定されている場合に、「帳票Ａ」は全文入力形式の入出力インターフェースを用い、「帳票Ｂ」は選択形式の入出力インターフェースを用いることが好ましい場合等が挙げられる。
【００１４】
上記の情報管理システムでは、データ構造定義としては異なる場合でも、そのデータ構造要素の組み合わせが等しいときには、同一の入出力インターフェース形式を用いる他なく、それぞれのデータ構造定義に最適な入出力インターフェース形式を柔軟に設定し、選択することができなかった。
【００１５】
本発明は、上記問題を解決し、データ構造定義毎に、それぞれ異なる入出力インターフェース形式を用いて実体データの入出力を可能とする情報管理システム、情報管理方法及び情報管理プログラムを提供することを目的とする。
【００１６】
【課題を解決するための手段】
上記課題を解決するための本発明は、実体データの構造を、データ構造要素を組み合わせたデータ構造定義として定義し、当該データ構造定義に合致したデータ値が設定された実体データを管理する情報管理システムであって、前記データ構造定義と入出力インターフェース形式とを関連付けて保持する手段と、前記実体データに含まれるデータ値の入出力を行う際に、当該実体データの設定に用いられた前記データ構造定義に関連付けられた前記入出力インターフェース形式を用いて、当該実体データに含まれるデータ値の入出力を行う手段とを含むことを特徴とする。
【００１７】
さらに、前記データ構造定義の少なくとも１つを派生元とし、当該派生元のデータ構造定義を変更して新たに派生先のデータ構造定義を生成する手段と、前記派生先のデータ構造定義と、前記派生元となったデータ構造定義のいずれかに関連付けられた前記入出力インターフェース形式と、を関連付けて保持する手段とを含むことが好適である。
【００１８】
また、本発明は、実体データの構造を、データ構造要素を組み合わせたデータ構造定義として定義し、当該データ構造定義に合致したデータ値が設定された実体データを管理する情報管理方法であって、前記データ構造定義と入出力インターフェース形式とを関連付けて保持する工程と、前記実体データに含まれるデータ値の入出力を行う際に、当該実体データの設定に用いられた前記データ構造定義に関連付けられた前記入出力インターフェース形式を用いて、当該実体データに含まれるデータ値の入出力を行う工程とを含むことを特徴とする。
【００１９】
さらに、前記データ構造定義の少なくとも１つを派生元とし、当該派生元のデータ構造定義を変更して新たに派生先のデータ構造定義を生成する工程と、前記派生先のデータ構造定義と、前記派生元となったデータ構造定義のいずれかに関連付けられた前記入出力インターフェース形式と、を関連付けて保持する工程とを含むことが好適である。
【００２０】
また、本発明は、実体データの構造を、データ構造要素を組み合わせたデータ構造定義として定義し、当該データ構造定義に合致したデータ値が設定された実体データを管理する情報管理プログラムであって、前記データ構造定義と入出力インターフェース形式とを関連付けて保持する工程と、前記実体データに含まれるデータ値の入出力を行う際に、当該実体データの設定に用いられた前記データ構造定義に関連付けられた前記入出力インターフェース形式を用いて、当該実体データに含まれるデータ値の入出力を行う工程とをコンピュータに実行させることを特徴とする。
【００２１】
さらに、前記データ構造定義の少なくとも１つを派生元とし、当該派生元のデータ構造定義を変更して新たに派生先のデータ構造定義を生成する工程と、前記派生先のデータ構造定義と、前記派生元となったデータ構造定義のいずれかに関連付けられた前記入出力インターフェース形式と、を関連付けて保持する工程とを含むことが好適である。
【００２２】
【発明の実施の形態】
図１に、本発明の実施の形態における情報管理システムの構成図を示す。以下、図を参照してシステムの構成を説明する。
【００２３】
情報管理システムは、コンピュータ１０を含んで成る。コンピュータ１０は、制御部１２、記憶部１４、入力部１６、出力部１８及びインターフェース２０から基本的に構成され、各々の構成部はバス２２によって情報伝達可能に接続されている。さらに、コンピュータ１０は、インターフェース２０によってネットワーク２４を介して他のコンピュータ等（図示しない）と情報伝達可能に接続されている。
【００２４】
入力部１６には、キーボード、マウス、スキャナ又はタッチパネルの圧力センサ等を用いることができる。出力部１８には、ディスプレイ装置、プリンタ又はタッチパネルの液晶表示等を用いることができる。
【００２５】
図２に、本実施の形態におけるデータ構造定義の態様を示す。各データ構造定義には、そのデータ構造定義を特定するためのＩＤ番号、名前、ラベル等の識別子が付与される。さらに、データの属性を表すデータ構造要素を含むデータ構造リストを有している。データ構造リストには、データ構造要素を特定するためのＩＤ番号が設定される。データ構造定義は、情報管理システムの記憶部１４に保持される。
【００２６】
本実施の形態におけるデータ構造定義は、既存のデータ構造定義から派生的に生成することができる。派生元となるデータ構造定義を幾つか特定し、組み合わせ、さらにデータ構造要素を追加し、削除する等して、新たな派生先のデータ構造定義として設定する。
【００２７】
派生先のデータ構造定義は、派生元のデータ構造定義のいずれか１つに関連付けられる。本実施形態では、関連付けは、派生先のデータ構造定義のオリジナルＩＤという識別子を介して行われる。派生先のデータ構造定義のオリジナルＩＤには、派生元のデータ構造定義のいずれか１つのＩＤ番号が設定される。本実施形態では、データ構造定義のＩＤ番号によって関連付けを行ったが、データ構造定義の名前、ラベル等の他の識別子を用いても良い。
【００２８】
図３に、データ構造定義の具体例を示す。本例のデータ構造定義には、ＩＤ番号”１”、名前”Ｄｏｃｕｍｅｎｔ”、ラベル”Ａ”及びオリジナルＩＤ”０”が設定されている。データ構造リストには、データ構造要素のＩＤ番号である”１”、”２”、”３”が設定されている。
【００２９】
図４に、本実施の形態におけるデータ構造要素の態様を示す。図４（ａ）に示すように、各データ構造要素にも、そのデータ構造要素を特定するためのＩＤ番号、名前、ラベル等の識別子が付与される。さらに、データの型、データのデフォルト値が設定される。
【００３０】
図４（ｂ）にデータ構造要素の具体例が示されている。データ構造要素には、ＩＤ番号”１”、名前”ファイル名”、ラベル”ａ”の識別子が付与されている。また、このデータ構造要素のデータ型はテキスト型、デフォルト値は”特許出願書類”と設定されている。
【００３１】
図５に、図３のデータ構造定義に基づいてデータ値が定められた実体データの例を示す。実体データには、基となったデータ構造定義の名前が付与され、実体データとデータ構造定義とが関連付けられている。さらに、具体的なデータ値が設定されている。本例では、ＩＤ番号が”１”、”２”、”３”で特定されるデータ構造要素に基づいて、それぞれ”特許出願書類”、”未請求”及び”２００２．２．２２”というテキスト型のデータ値が設定されている。
【００３２】
図６に、本発明の実施の形態における実体データの入出力方法のフローチャートを示す。以下、フローチャート及び上記のデータ構造定義、データ構造要素及び実体データの具体例を用いて、実体データの入出力方法を説明する。
【００３３】
工程ＳＴ１では、データ構造定義ごとに入出力インターフェース形式を関連付けて記憶する。例えば，図７に示すように、データ構造定義の名前と、入出力インターフェース形式の名前とを対照リストとして関連付ける。本例では、データ構造定義の名前”Ｇｅｎｅｒｉｃ”に対しては、入出力インターフェース形式”形式１”が関連付けられている。対照リストは、情報管理システムの記憶部１４に記憶しておくことができる。
【００３４】
また、入出力の処理命令毎に対象リストを作成することもできる。この場合、処理命令及びデータ構造定義の組み合わせに対して、入出力インターフェース形式が関連付けられることとなる。
【００３５】
図８に、入出力インターフェース形式の具体例を示す。本例の入出力インターフェース形式では、データ構造定義のデータ構造リストに含まれるデータ構造要素の名前、ラベル及びそれらのデータ構造要素に実体データのデータ値が表示されるものとして設定されている。さらに、実線で囲まれたデータ値については、キーボードなどのテキスト入力可能なデバイスからの入力、変更が可能なものとして設定されている。この入出力インターフェース形式には、”形式２”の名前が識別子として付与されている。入出力インターフェース形式は、記憶部１４に記憶しておくことができる。
【００３６】
工程ＳＴ２では、ユーザからの処理命令の入力処理が行われる。例えば、入力部１６を用いて、処理命令の入力処理を行う。処理命令は制御部１２へ転送され、命令の解析、命令の対象となる実体データの特定が行なわれる。
【００３７】
工程ＳＴ３では、処理の対象として特定された実体データに適した入出力インターフェース形式を選択する。図９に、入出力インターフェース形式の選択方法のフローチャートを示す。以下では、図１０に示すデータ構造定義、実体データ、及び、図７に示す対照リスト等を参照して選択方法を説明する。
【００３８】
＜入出力インターフェース形式の選択例１＞
図１０（ａ）に示した実体データが処理対象である場合を以下に説明する。この実体データは、図１０（Ａ）のデータ構造定義に基づいて設定されたものである。
【００３９】
工程ＳＴ９−１では、実体データからデータ構造定義の名前を取得する。本例では、データ構造定義の名前”Ｄｏｃｕｍｅｎｔ”が取得される。
【００４０】
工程ＳＴ９−２では、取得された名前から、そのデータ構造定義に入出力インターフェース形式が関連付けられているか否かを判断する。入出力インターフェース形式が関連付けられている場合は、工程ＳＴ９−３に処理を移行する。関連付けがされていない場合は、工程ＳＴ９−４に処理を移行する。
【００４１】
対照リストから、”Ｄｏｃｕｍｅｎｔ”に対して入出力インターフェース形式が関連付けられているので、工程ＳＴ９−３に処理が移行される。
【００４２】
工程ＳＴ９−３では、データ構造定義に関連付けられた入出力インターフェース形式を選択する。”Ｄｏｃｕｍｅｎｔ”に対しては”形式２”が関連付けられているので、”形式２”が選択される。
【００４３】
同様に、同じデータ構造定義から設定された図１０（ｂ）の実体データについても、入出力インターフェース形式”形式２”が選択される。
【００４４】
＜入出力インターフェース形式の選択例２＞
図１０（ｃ）に示す実体データが処理対象である場合について説明する。この実体データは、図１０（Ｂ）に示すデータ構造定義に基づいて設定されたものである。
【００４５】
工程ＳＴ９−１では、実体データからデータ構造定義の名前を取得する。図１０（ｃ）の実体データでは、データ構造定義の名前”Ｄｏｃｕｍｅｎｔ２”が取得される。
【００４６】
工程ＳＴ９−２では、取得された名前が付与されたデータ構造定義に入出力インターフェース形式が関係付けられているか否かを判断する。図７の対処リストから、”Ｄｏｃｕｍｅｎｔ２”に対して入出力インターフェース形式は関連付けられていないので、工程ＳＴ９−４に処理が移行される。
【００４７】
工程ＳＴ９−４では、データ構造定義のオリジナルＩＤ番号から、そのデータ構造定義の派生元であるデータ構造定義を特定し、その派生元のデータ構造定義の名前を取得する。
【００４８】
図１０（Ｂ）のデータ構造定義のオリジナルＩＤ番号は”１”から派生元のデータ構造定義、すなわち図１０（Ａ）のデータ構造定義が特定される。このデータ構造定義の名前”Ｄｏｃｕｍｅｎｔ”が取得される。
【００４９】
工程ＳＴ９−５では、派生元のデータ構造定義の名前に関連付けられた入出力インターフェース形式が存在するか否かが判断される。存在する場合は、工程ＳＴ９−６に処理を移行し、存在しない場合は、工程ＳＴ９−７に処理を移行する。
【００５０】
本例では、派生元のデータ構造定義の名前”Ｄｏｃｕｍｅｎｔ”に関連付けられた入出力インターフェース形式が存在するので、工程ＳＴ９−６に処理が移行する。
【００５１】
工程ＳＴ９−６では、データ構造定義に関連付けられた入出力インターフェース形式を選択する。”Ｄｏｃｕｍｅｎｔ”に対しては”形式２”が関連付けられているので、”形式２”が選択される。
【００５２】
＜入出力インターフェース形式の選択例３＞
図１０（ｄ）に示す実体データが処理対象である場合について説明する。この実体データは、図１０（Ｃ）に示すデータ構造定義に基づいて設定されたものである。このデータ構造定義は、図１０（ａ）に示すデータ構造定義と同一のデータ構造リストを有する。
【００５３】
工程ＳＴ９−１では、上記の例と同様に、実体データからデータ構造定義の名前が取得される。名前は”Ｄｏｃｕｍｅｎｔ４”となる。
【００５４】
工程ＳＴ９−２では、取得された名前に関連付けられた入出力インターフェース形式が存在するか否か判断する。クラス名”Ｄｏｃｕｍｅｎｔ４”に関連付けられた形式は存在しないので、処理は工程ＳＴ９−４に移行する。
【００５５】
工程ＳＴ９−４では、データ構造定義のオリジナルＩＤを参照し、そのオリジナルＩＤと等しいＩＤ番号を有するデータ構造定義の名前を取得する。オリジナルＩＤは”３”であり、そのクラス名は”Ｄｏｃｕｍｅｎｔ３”であったとする。
【００５６】
工程ＳＴ９−５では、派生元のデータ構造定義の名前に関連付けられた入出力インターフェース形式が存在するか否か判断する。クラス名”Ｄｏｃｕｍｅｎｔ３”に関連付けられた入出力インターフェース形式は存在しないので、処理は工程ＳＴ９−７に移行する。
【００５７】
工程ＳＴ９−７では、名前”Ｇｅｎｅｒｉｃ”に関連付けられた入出力インターフェース形式を選択する。”Ｇｅｎｅｒｉｃ”に対してはデフォルトの入出力インターフェース形式”形式１（デフォルト形式）”が関連付けられている。
【００５８】
上記の抽出例では、オリジナルクラスＩＤの参照を一回のみとしたが、さらにオリジナルクラスＩＤのクラス定義より上位のクラス定義のクラス名を参照するものとしても良い。
【００５９】
工程ＳＴ４では、選択された入出力インターフェース形式を用いて、処理対象である実体データの入出力処理が行われる。具体的には、出力部１８によって実体データのデータ値等が出力される。また、入力部１６を用いて、データ値等の入力、変更が行われる。
【００６０】
図１１に、選択例１で選択された入出力インターフェース”形式２”によって、図１０（ａ）の実体データを出力した結果を一例として示す。
【００６１】
上記の情報管理方法の各工程をプログラム化し、各工程をコンピュータに実行させることができる。
【００６２】
本実施の形態によって、データ構造定義に関連付けられた入出力インターフェースを用いて、実体データの入出力を行うことができる。データ構造定義には、そのデータ構造定義に基づいて設定された実体データのデータ値に関する属性等が含まれているので、データ構造定義ごとに入出力インターフェース形式を関連付け、その入出力インターフェース形式を用いることによって、実体データの入出力に適した入出力処理を行うことができる。
【００６３】
さらに、派生先のデータ構造定義に対して入出力インターフェース形式が関連付けられていない場合には、派生元となったデータ構造定義に関連付けられた入出力インターフェース形式を用いて、実体データの入出力を行うことができる。派生先のデータ構造定義には、派生元となったデータ構造定義に含まれるデータ構造リストと似通ったデータ構造リストが含まれる可能性が高いため、派生先のデータ構造定義から設定された実体データに対して最適に近い入出力処理を行うことができる。
【００６４】
また、派生元となったデータ構造定義に関連付けられた入出力インターフェース形式をもとにした、派生先のデータ構造定義に適した新たな入出力インターフェース形式を容易な作成を可能とする。すなわち、派生元の入出力インターフェース形式に僅かな変更を加えるだけで、派生先に適した入出力インターフェース形式を作成することができる。
【００６５】
さらに、同一のデータ構造リストを有する異なるデータ構造定義から設定された異なる実体データに対して、それぞれ異なる入出力インターフェース形式を用いて入出力処理を行うことができる。すなわち、同一構造を有する実体データに対して、様々な入出力インターフェース形式を用いた柔軟な入出力処理を可能とする。
【００６６】
【発明の効果】
以上により、本発明によると、データ構造定義毎に、それぞれ異なる入出力インターフェース形式を用いて実体データの入出力を可能とする情報管理システム、情報管理方法及び情報管理プログラムを提供することが可能となる。
【図面の簡単な説明】
【図１】本発明の実施の形態における情報管理システムの構成図である。
【図２】本発明の実施の形態におけるデータ構造定義を示す図である。
【図３】本発明の実施の形態におけるデータ構造定義の例を示す図である。
【図４】本発明の実施の形態におけるデータ構造要素を示す図である。
【図５】本発明の実施の形態における実体データの例を示す図である。
【図６】本発明の実施の形態における情報管理方法のフローチャートを示す図である。
【図７】本発明の実施の形態におけるデータ構造定義の名前と出力形式の対照リストを示す図である。
【図８】本発明の実施の形態における入出力インターフェース形式の例を示す図である。
【図９】本発明の実施の形態における入出力インターフェース形式の選択方法のフローチャートを示す図である。
【図１０】本発明の実施の形態における実体データの例を示す図である。
【図１１】本発明の実施の形態における実体データの出力例を示す図である。
【符号の説明】
１０　コンピュータ、１２　制御部、１４　記憶部、１６　入力部、１８　出力部、２０　インターフェース、２２　バス、２４　ネットワーク。
【図１】
2004021718.tif 000003
【図２】
2004021718.tif 000004
【図３】
2004021718.tif 000005
【図４】
2004021718.tif 000006
【図５】
2004021718.tif 000007
【図６】
2004021718.tif 000008
【図７】
2004021718.tif 000009
【図８】
2004021718.tif 000010
【図９】
2004021718.tif 000011
【図１０】
2004021718.tif 000012
【図１１】
2004021718.tif 000013